(57)【要約】【課題】  衣類の胴部と袖部とに対して最適なプレス条件を設定することができ、理想的なプレス仕上げを施すことができる衣類プレス装置やプレス方法の提供。【解決手段】衣類プレス装置において、前記ボディエアバッグへエアを供給するボディ用エア供給手段と前記スリーブ用エア供給口を介してスリーブにエアを吹き込むスリーブ用エア供給手段とを互いに独立した別系統のエア供給手段として構成し、前記装置制御手段によって、前記ボディ用エア供給手段による前記ボディエアバッグへのエア供給開始から所要時間経過後に、前記スリーブ用エア供給手段によるスリーブへのエア供給を開始させることを特徴とする。【選択図】図１
2006055478.tif 000002
【特許請求の範囲】
【請求項１】
ボディエアバッグとスリーブ用エア供給口とを備えたボディ形と、ボディ形位置移動手段と、スリーブタックアイロンを備えたスリーブホルダと、スリーブホルダ位置移動手段と、前記各手段を制御する装置制御手段とを備えた衣類プレス装置において、
前記ボディエアバッグへエアを供給するボディ用エア供給手段と前記スリーブ用エア供給口を介してスリーブにエアを吹き込むスリーブ用エア供給手段とを互いに独立した別系統のエア供給手段として構成し、
前記装置制御手段によって、前記ボディ用エア供給手段による前記ボディエアバッグへのエア供給開始から所要時間経過後に、前記スリーブ用エア供給手段によるスリーブへのエア供給を開始させることを特徴とする衣類プレス方法。
【請求項２】
所要時間は、衣類のボディと衣類のスリーブとのプレス仕上げを同時終了させるに必要な時間であることを特徴とする請求項１に記載の衣類プレス方法。
【請求項３】
衣類プレス装置は、作業従事者の作業位置から見て、ボディ形に衣類を着脱する着脱作業位置と当該着脱作業位置にあるボディ形が右又は左方向に横移動してプレス作業が行われるプレス作業位置とを移動自在なボディ形を備えたことを特徴とする請求項１又は請求項２の何れかに記載の衣類プレス方法。
【請求項４】
ボディ形の横移動距離は、プレス作業位置に移動したボディ形に着せられた衣類の右又は左のスリーブタックが着脱作業位置に来る距離であることを特徴とする請求項３に記載の衣類プレス方法。
【請求項５】
ボディ形はプレス装置基台上に横移動自在に配置され、前記プレス装置基台には、ボディ形位置移動手段と、ボディアイロンと、スリーブ用エア供給手段と、ボディ用エア供給手段と、スリーブホルダと、スリーブホルダ位置移動手段と、前記各手段を制御する装置制御手段とが配設されたことを特徴とする請求項1乃至請求項４の何れかに記載の衣類プレス方法。
【請求項６】
プレス作業位置においてボディ形に着せられた衣類の左右のスリーブカフスを保持するようボディ形の左右に配置されたスリーブホルダの一方は、当該プレス作業位置へのボディ形の出入りの際に障害とならないように、スリーブホルダ位置移動手段によってボディ形移動空間から退避位置に退避移動可能に構成されたことを特徴とする請求項1乃至請求項５の何れかに記載の衣類プレス方法。
【請求項７】
プレス作業は、装置制御手段によって、最初にボディアイロン、次にボディ用エア供給手段、次にスリーブ用エア供給手段、最後にスリーブタックアイロンの作動を順次始動させ、前記のボディ用エア供給手段、スリーブ用エア供給手段、スリーブダックアイロンの全てにおいて作動を同時に停止させることを特徴とする請求項1乃至請求項６の何れかに記載の衣類プレス方法。
【請求項８】
ボディ形に着せられた衣類の両スリーブのスリーブホルダへの止着作業は、プレス作業位置にボディ形が静止し、ボディ形の移動のため退避していた一方のスリーブホルダがプレス作業位置に復帰した後であって、スリーブ用エア供給口へのエアの供給前であることを特徴とする請求項６乃至請求項７の何れかに記載の衣類プレス方法。
【発明の詳細な説明】
【技術分野】
【０００１】
本発明は、ワイシャツ等上着の胴部の全体或いは胴部の脇部分や肩部分等（以下、これら各部を総称して単に胴部ともいう）と袖部とにエア（熱風）を吹き込んでプレスする機能を備えた衣類プレス装置に関するものである。
【背景技術】
【０００２】
従来、この種の衣類プレス装置では、胴部と袖部（スリーブ）とに対して、一系統のエア供給手段即ち一つのエア供給源（ブロワー）と当該単一のエア供給源からのエアを分岐させて各部にエアを供給する一系統のエア管路とを設けて対処しているのが一般である。
本願出願人が特開平５−９６０９３号公報に提案の衣類プレス装置も一系統のエア供給手段が設けられている（同公報の明細書段落００１９）。
【特許文献１】特開平５−９６０９３号公報
【発明の開示】
【発明が解決しようとする課題】
【０００３】
しかし、胴部と袖部とに対して一系統のエア供給手段で対処する衣類プレス装置では次のような不都合があった。
即ち、胴部においては、例えば胴部の全部或いは胴部の一部である脇部分や肩部分等にはエアが吹き込まれて適度に膨張するエアバッグが装置されており、このエアバッグの膨張圧によって内部側から当該部分を拡張させてプレス仕上げする。
これに対して、袖部においては、袖部を軽く当該袖部の長さ方向に自然に引き伸ばし、袖口（カフス部）を閉じた状態にして、直接、肩口側からエアを袖内に吹き込み、エアで直接袖部分の生地を膨張させることによってプレス仕上げする。
【０００４】
このように、胴部に対してはエアバックを介してプレス仕上げし、袖部（スリーブ）に対してはエアバッグを介さず、ワイシャツ等比較的薄い一枚生地のままの袖筒部に直接エアを吹き込ませるのであるから、従来のような一系統のエア供給手段を備えた衣類プレス装置では、胴部と当該袖部とに対するエアの供給等のプレス条件、例えば、供給圧、供給量、供給時間或いは温度等々を各部に応じた条件に設定することができず、胴部と袖部とに理想的なプレス仕上げを施すことができなかった。
【０００５】
又、一系統のエア供給手段で理想的なプレス仕上げを実現しようとすると、胴部と袖部とのプレス作業を同時的に行えないため、プレス作業時間が長くなり、生産性が低下してしまうという不都合があった。
【課題を解決するための手段】
【０００６】
本発明は、上記課題の解決を目的とし、胴部と袖部とに対して、各々最適なプレス条件を設定することができ、理想的なプレス仕上げを施すことができる衣類プレス装置やプレス方法の提供を目的とする。
【０００７】
請求項１の衣類プレス方法の発明は、ボディエアバッグとスリーブ用エア供給口とを備えたボディ形と、ボディ形位置移動手段と、スリーブタックアイロンを備えたスリーブホルダと、スリーブホルダ位置移動手段と、前記各手段を制御する装置制御手段とを備えた衣類プレス装置において、
前記ボディエアバッグへエアを供給するボディ用エア供給手段と前記スリーブ用エア供給口を介してスリーブにエアを吹き込むスリーブ用エア供給手段とを互いに独立した別系統のエア供給手段として構成し、
前記装置制御手段によって、前記ボディ用エア供給手段による前記ボディエアバッグへのエア供給開始から所要時間経過後に、前記スリーブ用エア供給手段によるスリーブへのエア供給を開始させることを特徴とする。
【０００８】
請求項２は、請求項１に記載の衣類プレス方法において、所要時間は、衣類のボディと衣類のスリーブとのプレス仕上げを同時終了させるに必要な時間であることを特徴とする。
【０００９】
請求項３は、請求項１又は請求項２の何れかに記載の衣類プレス方法において、衣類プレス装置は、作業従事者の作業位置から見て、ボディ形に衣類を着脱する着脱作業位置と当該着脱作業位置にあるボディ形が右又は左方向に横移動してプレス作業が行われるプレス作業位置とを移動自在なボディ形を備えたことを特徴とする。
【００１０】
請求項４は、請求項３に記載の衣類プレス方法において、ボディ形の横移動距離は、プレス作業位置に移動したボディ形に着せられた衣類の右又は左のスリーブタックが着脱作業位置に来る距離であることを特徴とする。
【００１１】
請求項５の発明は、請求項1乃至請求項４の何れかに記載の衣類プレス方法において、ボディ形はプレス装置基台上に横移動自在に配置され、前記プレス装置基台には、ボディ形位置移動手段と、ボディアイロンと、スリーブ用エア供給手段と、ボディ用エア供給手段と、スリーブホルダと、スリーブホルダ位置移動手段と、前記各手段を制御する装置制御手段とが配設されたことを特徴とする。
【００１２】
請求項６の発明は、請求項1乃至請求項５の何れかに記載の衣類プレス方法において、プレス作業位置においてボディ形に着せられた衣類の左右のスリーブカフスを保持するようボディ形の左右に配置されたスリーブホルダの一方は、当該プレス作業位置へのボディ形の出入りの際に障害とならないように、スリーブホルダ位置移動手段によってボディ形移動空間から退避位置に退避移動可能に構成されたことを特徴とする。
【００１３】
請求項７の発明は、請求項1乃至請求項６の何れかに記載の衣類プレス方法において、プレス作業は、装置制御手段によって、最初にボディアイロン、次にボディ用エア供給手段、次にスリーブ用エア供給手段、最後にスリーブタックアイロンの作動を順次始動させ、前記のボディ用エア供給手段、スリーブ用エア供給手段、スリーブダックアイロンの全てにおいて作動を同時に停止させることを特徴とする。
【００１４】
請求項８の発明は、請求項６乃至請求項７の何れかに記載の衣類プレス方法において、ボディ形に着せられた衣類の両スリーブのスリーブホルダへの止着作業は、プレス作業位置にボディ形が静止し、ボディ形の移動のため退避していた一方のスリーブホルダがプレス作業位置に復帰した後であって、スリーブ用エア供給口へのエアの供給前であることを特徴とする。
【発明の効果】
【００１５】
本発明によれば、胴部に対してはエアバックを介してプレス仕上げするエアバッグ用エア供給手段を、袖部（スリーブ）に対してはエアバッグを介さず袖部に直接エアを吹き込ませるスリーブ用エア供給手段を、各々別系統のエア供給手段として構成してあるので、胴部と袖部に対するエアの供給等のプレス条件を各々の部に最適な条件とすることができ、胴部と袖部とに理想的なプレス仕上げを施すことができる。
【００１６】
又、本発明によれば、袖部（スリーブ）に比べてプレスの乾燥が遅い胴部或いは胴部の肩や脇やその他の部分例えば前身ごろ等を、袖部に対するプレス作業よりも先にプレス作業を行わせることができるので、理想的なプレス仕上げを実現することができる。
【００１７】
又、本発明によれば、袖部（スリーブ）に比べて長いプレス作業時間を要する胴部或いは胴部の肩や脇やその他の部分例えば前身ごろ等の部分に対する作業時間内に、袖部のプレス作業を行うことができるので、胴部と袖部を対象とする衣類プレス装置において、最短の所要時間でプレス作業を終えることができ、生産性を向上させることができる。
【００１８】
又、本発明によれば、衣類プレス作業従事者の労働負荷を軽減することができるので、労働環境の改善と生産性の向上とに寄与することができる。
【発明を実施するための最良の形態】
【００１９】
本発明を、ボディアイロンとボディエアバッグとスリーブ用エア供給口とを備えたボディ形と、ボディ形位置移動手段と、スリーブタックアイロンを備えたスリーブホルダと、スリーブホルダ位置移動手段と、前記各手段を制御する装置制御手段とを備えた衣類プレス装置を例にして、図１乃至５図に基づいて説明する。
図１はボディ形がプレス作業位置にある状態の正面図、図２はボディ形がプレス作業位置にある状態の平面図、図３はボディ形に対するプレス状態を示す右側面、図４はボディ形が着脱作業位置にある状態を示す平面図、図５はプレス作業工程表である。
【実施例】
【００２０】
図１乃至図３において、図中の符号１は、プレス目的物としてのワイシャツ等の上着が着せ掛けられるボディ形である。ボディ形１は、ボディエアバッグとして両脇部に設けられた脇エアバッグ１１、１１と両肩部に設けられた肩エアバッグ１２、１２とを備え、更にボディ形１の両肩口には、ボディ形１の内部に配管されたエア管路１３０から当該ボディ形１に着せられた上着の袖（スリーブ）内にエアを吹き込むためのスリーブ用エア供給口１３、１３とを備えている。
【００２１】
ボディ形１は、ボディ形位置移動手段を構成する移動台車２１上に配設されて、プレス装置基台３上をボディ形１が前記移動台車２１に載せられた状態で、作業従事者の作業位置側から見て、当該ボディ形１に上着を着せたり脱がしたりする着脱作業位置Ｐ１とボディ形１に被着された上着をプレスするプレス作業位置Ｐ２との間を、水平方向に直線的に往復移動（横移動）する構成とされている。
【００２２】
尚、この実施例のボディ形１は、衣類を着脱する着脱作業位置Ｐ１の右方向側にプレス作業が行われるプレス作業位置Ｐ２を配置しているが、左方向側にプレス作業位置Ｐ２を配置してもよい。
何れにしても、作業従事者の作業効率を上げるためには、移動距離は短いほうがよく、この例では、着脱作業位置Ｐ１とプレス作業位置Ｐ２との移動距離はボディ形１の両肩幅間隔で、作業従事者にとって最小移動距離の約一歩の距離としている。
【００２３】
このようにボディ形１の横移動距離をボディ形１の両肩幅間隔とすることによって、ボディ形１がプレス作業位置Ｐ２に移動したとき、ボディ形１に着せられた衣類の右（図１において右）のスリーブタックが着脱作業位置Ｐ１に来るため、作業従事者は、着脱作業位置Ｐ１に居たままで、ボディ形１への衣類の着せ替えと、衣類を着せられたボディ形１がプレス作業位置Ｐ２に移動したときに、目前に来たボディ形１に着せられた衣類の右（図１において左）のスリーブタックを右のスリーブホルダ４１（図１において左）に把持させる作業を行うことができる。
然る後、作業従事者はプレス作業位置Ｐ２側へ約一歩分横移動してから、左のスリーブタック（図１において右）を左のスリーブホルダ４１（図１において右）に把持させる作業を行うことができる。
【００２４】
前記のボディ形位置移動手段を構成する移動駆動機構は、プレス装置基台３内に配設されており（図示せず）、この移動駆動機構は、例えば、移動台車２１の水平移動をガイドするガイドレールや移動台車２１を牽引するチェーンやチェーンを牽引駆動させるモータ等（図示せず）で構成されている。
【００２５】
プレス装置基台３のプレス作業位置Ｐ２側には、プレス作業位置Ｐ２に停止するボディ形１に着せられた上着の袖口（スリーブカフス）を、袖を伸張させた状態で各々の袖口を把持するように配設されたスリーブホルダ４１，４１がボディ形１の左右側に配設されている。
【００２６】
更に、前記の両スリーブホルダ４１，４１は、各々、把持した袖口の袖タック部をプレスするためのスリーブタックアイロン４２，４２を備えている。このスリーブタックアイロン４２を備えた各スリーブホルダ４１、４１はスリーブホルダ位置移動手段としてのアーム４３を介してプレス装置基台３に各々支持されている。
【００２７】
しかし、前記の両スリーブホルダ４１、４１が伸張された袖口の袖タック部をプレスする位置に固定されていたのでは、プレス作業位置Ｐ２へのボディ形１の出入りの邪魔となるので、プレス作業位置Ｐ２においてボディ形１に着せられた衣類の左右の袖口（スリーブカフス）を保持するようボディ形１の左右に配置されたスリーブホルダ４１，４１の一方、図１においては左側のスリーブホルダ４１が、当該プレス作業位置Ｐ２へのボディ形１の出入りの際に障害とならないように、スリーブホルダ位置移動手段４３によってボディ形移動空間から退避位置に退避移動可能に構成されている（図２→図４参照）。
【００２８】
この実施例では、図２及び図４に示すように、ボディ形１が着脱作業位置Ｐ１とプレス作業位置Ｐ２との間隔がボディ型１の左右の肩幅程度しかないため、ボディ型１が着脱作業位置Ｐ１に位置するときには図４において左のスリーブホルダ４１が図２に示す位置から図４に示す位置に後退するよう、スリーブホルダ位置移動手段４３によって位置換えされる構成となっている。
尚、両スリーブホルダ位置移動手段４３、４３は後述のようにスリーブを当該スリーブの長さ方向に適度に緊張させるべく、引き伸ばし移動する機能も備えている。
【００２９】
前記のボディ形位置移動手段やスリーブホルダ位置移動手段４３や後述のエア供給手段等の各手段及びその他の衣類プレス装置の動作等、例えば、図２及び図４において、ボディ形１に対して、そのボディ形１の前後方向からプレス時に当接し、プレス後に乖離するボディアイロン５１，５２を前後方向に駆動するボディアイロン駆動手段５３，５４（図３）等は、図示されていない装置制御手段によって適宜制御される。
【００３０】
又、この実施例では、図１及び図３に示すように、前記ボディエアバッグ即ち脇エアバッグ１１、１１と肩エアバッグ１２、１２とに相応する所要のプレス条件を備えたエアを供給するボディ用エア供給手段１２０と、前記スリーブ用エア供給口１３，１３を介して両袖即ちスリーブに相応する所要のプレス条件を備えたエアを吹き込んで直接両袖を膨張させることによりプレスするスリーブ用エア供給手段１３０とが、エア供給源(１２０Ｍと１３０Ｍ)及びエア管路（１２０Ｐと１３０Ｐ）において完全に分離されて、互いに独立する別系統のエア供給手段(１２０Ｍ→１２０Ｐ→１２，１２と１３０Ｍ→１３０Ｐ→１３，１３)として構成されており、これらの両手段１２０，１３０は前述した装置制御手段により制御される。
【００３１】
図１において、ボディ用エア供給手段１２０のエア供給源であるブロワー１２０Ｍとスリーブ用エア供給手段１３０のエア供給源であるブロワー１３０Ｍとは、共にプレス装置基台３内に設置されている。
このため、これらブロワー１２０Ｍ，１３０Ｍと当該プレス装置基台３上を横移動するボディ形１側とのエア管路即ちボディ用エア供給手段１２０の管路１２０Ｐやスリーブ用エア供給手段１３０の管路１３０Ｐとの接続部は次のように構成されている。
【００３２】
即ち、ボディ形１に別系統として配設されたエア管路１２０Ｐとエア管路１３０Ｐの接続端を各々ボディ形１の移動台車２１の内部に延在させて当該移動台車２１の外面に接続開口端を開口させ、着脱作業位置Ｐ１から移動して来たボディ形１が所定のプレス作業位置Ｐ２に静止したとき、ブロワー１２０Ｍ，１３０Ｍ側の接続開口端と自動的に連通するよう構成されている。例えば、接続開口端同士が密着することによって連通させる。
勿論、この接続部の構成はこれに限らず、例えば、長めに設定した可撓性チューブ（図示せず）を単純に介在させてもよい。
【００３３】
次に、前記装置制御手段による制御を図１乃至図４及び図５に示すプレス工程表に基づいて説明する。
【００３４】
工程１（初期状態）
初期状態においては、図４に示すように、ボディ形１は着脱作業位置Ｐ１に在り、ボディアイロン５１，５２は前後に開いた位置に在り、図４において左のスリーブホルダ４１はボディ形１の移動空間から退避すべく後退した位置にある。
かかる初期状態において、作業従事者は着脱作業位置Ｐ１に立ち、ボディ形１に衣類、例えばワイシャツを着せ掛ける。以下これを、衣類装着工程ともいう。
【００３５】
工程２（ボディ形プレス作業位置移動工程）
工程１において衣類を着せ掛けた後、作業従事者の判断でボディ形移動スイッチ（図示せず）を押す。このスイッチ操作を受けて装置制御手段はボディ形位置移動手段を作動させて、ボディ形１をプレス作業位置Ｐ２に移動させる。
【００３６】
工程３（スリーブホルダ復帰工程）
ボディ形１がプレス作業位置Ｐ２の所定位置に静止すると、その静止信号に基づいて装置制御手段が、図４において左のスリーブホルダ位置移動手段４３を介して、ボディ形１の移動空間から退避していた左のスリーブホルダ４１を図２に示すようにプレス可能な所定の位置に復帰させる。
【００３７】
工程４（エア管路連通工程）
ボディ形１がプレス作業位置Ｐ２の所定位置に静止すると、ボディ形１側のエア管路１２０Ｐとエア管路１３０Ｐの各接続端である移動台車２１の各接続開口端が、ブロワー１２０Ｍ，１３０Ｍ側の接続開口端と密着して連通する。
【００３８】
工程５（ボディプレス作業開始工程）
装置制御手段は、ボディ形１がプレス作業位置Ｐ２に静止した旨の静止信号と前記エア管路の連通が完了した旨の連通信号とに基づいて、予め記憶手段に設定しておいたプログラムに従ってボディアイロン駆動手段５３，５４を作動させて、ボディアイロン５１、５２によるボディプレス作業を開始させる。
【００３９】
工程６（ボディエアバッグ用エア供給開始工程）
装置制御手段は、ボディアイロン５１、５２によるボディプレス作業を開始させた後、当該ボディプレス開始信号に基づき、ボディ用エア供給手段１２０によって、ボディエアバックとしての脇エアバッグ１１、１１と肩エアバッグ１２、１２とへのエアの吹き込みを開始させる。
ボディアイロン５１、５２によるボディプレス作業開始（工程６）直後のボディエアバック（１１、１２）へのエアの吹き込み、例えば、アイロン５１，５２でプレスした直後に０．１秒単位でエアバックを膨張させる繰り返しタイミングで制御することによって、アイロン５１，５２でプレスではプレスできなかったプレス面のシワをのばすことができる。
特に、ワイシャツの肩部は生地が幾重かに重ねられて形成されているため、生地一重で形成されている袖部（スリーブ）と異なり、高圧のエアが必要であり、このような繰り返しタイミングによるプレスも必要となる上、乾燥時間をも長く要する。
【００４０】
工程７（スリーブホルダへの袖口セット工程）
作業従事者は、工程１において衣類を着せ、ボディ形移動スイッチを押した後、一歩横移動してプレス作業位置Ｐ２に立ち、プレス作業位置Ｐ２に移動して停止したボディ形１の衣類の袖口（カフス部）を、当該ボディ形１の両側に位置するスリーブホルダ４１，４１に衣類の両袖口を固定（止着）する。実施例のスリーブホルダ４１，４１はクリップ式であるため、ワンタッチでセットできる。
又、このように、ボディ形１に着せられた衣類の両スリーブのスリーブホルダ４１，４１への止着作業を、プレス作業位置Ｐ２にボディ形１が静止し、ボディ形１の移動のため退避していた一方のスリーブホルダ４１がプレス作業位置Ｐ２に復帰した後であって、スリーブ即ちスリーブ用エア供給口１３，１３へのエアの供給前に行うことによって作業効率を向上させることができる。
【００４１】
工程８（プレス仕上げ作業工程）
作業従事者は、前記工程７において両袖口（スリーブカフス）をスリーブホルダ４１，４１にセットした後、プレス仕上げ作業開始スイッチ（図示せず）を押す。
装置制御手段は、プレス仕上げ作業開始の仕上開始信号に基づき、スリーブホルダ位置移動手段４３、４３を介してスリーブホルダ４１，４１を両袖の延在方向に移動（以下、伸展移動ともいう）させつつ、ボディ形１に着せられた上着の両袖口を引っ張り、両袖が伸びきった状態で伸展移動を停止させ、或いは又、予め定めた所定距離を移動させることによって停止させ、両袖を伸張させた状態に保持させる。
【００４２】
工程９（スリーブプレス工程）
装置制御装置は、前記工程８における伸展移動停止信号に基づき、スリーブ用エア供給手段１３０を作動させて両スリーブへのエアの吹き込みを開始させる。スリーブは吹き込まれるエアの膨張圧によってプレスされる。
【００４３】
工程１０（スリーブタックプレス工程）
次に、装置制御装置は、前記工程９におけるスリーブへのエアの吹き込み信号に基づき、スリーブホルダ４１，４１に装置されているスリーブタックアイロン４２，４２をスリーブのタック部に当ててのプレス作業を開始させる。
【００４４】
工程１１（全プレス作業終了工程）
装置制御手段は、前記工程５におけるボディアイロン５１、５２のボディプレス作業開始信号、即ち、ボディ形１がプレス作業位置Ｐ２に静止した旨の静止信号とエア管路１２０Ｐ，１３０Ｐの連通が完了した旨の連通信号とに基づいて、予め記憶手段に設定しておいた所定時間の経過により、全てのプレス作業を同時に終了させる。
全てのプレス作業とは、この実施例においては、前記工程５におけるボディアイロン５１、５２と工程６においてボディ用エア供給手段１２０とにより開始されたボディプレス作業、工程９においてスリーブ用エア供給手段１３０により開始されたスリーブプレス作業、工程１０においてスリーブタックアイロン４２，４２により開始されたスリーブタックプレス作業である。
【００４５】
工程１２（初期状態復帰工程）
最後に、装置制御手段は、工程１１における全プレス作業を終了させた後、
プレス作業位置Ｐ２に在る左のスリーブホルダ４１をボディ形１の移動空間から退避すべく後退させてから、ボディ形１を着脱作業位置Ｐ１に移動させて、衣類プレス装置を初期状態に復帰させる（図４）。以上の工程１から１２が衣類プレスの一サイクルである。
【００４６】
この実施例に示す衣類プレス方法によれば、ボディアイロン５１、５２のボディプレス作業開始直後のボディ用エア供給手段１２０によるボディエアバッグ１１，１２へのエア供給開始から所要時間経過後に、スリーブ用エア供給手段１３０によるスリーブへのエア供給を開始させており、前記の所要時間の設定を、ボディとスリーブとのプレス仕上げが同時に終了させるに必要な時間としているので、図５から分るとおり、プレスに最長の時間を要するボディプレス作業の所要時間帯内に、その他のプレス作業、この例ではスリーブプレス作業とスリーブタックプレス作業とを終わらせることができ、全てのプレス作業を最短時間にて効率よく終わらせることができる。
【００４７】
尚、本明細書で言う同時とは人の感覚において同時という意味であって、厳密な意味での同時ではない。従って、例えば４乃至５秒程度のずれを含む意味で用いている。
又、本明細書で言うスリーブ用エア供給口１３とは、スリーブにエアを供給するためにスリーブの筒状部に望む通気口を意味するもので、その形態を問わない。更には、スリーブ用エア供給口１３にスリーブ専用のエアバック（スリーブ用エアバッグ）等が接続されていてもよい。このようなエアバッグが装備されていても、ボディとスリーブとではエアの供給条件即ちプレス条件が異なるからである。
【産業上の利用可能性】
【００４８】
本発明は、上記実施例に示す衣類プレス装置に限らず、その他の衣類プレス装置に広く適用することができる。
【図面の簡単な説明】
【００４９】
【図１】ボディ形がプレス作業位置にある状態の正面図である。
【図２】ボディ形がプレス作業位置にある状態の平面図である。
【図３】ボディ形に対するプレス状態を示す右側面図である。
【図４】ボディ形が着脱作業位置にある状態を示す平面図である。
【図５】プレス作業工程表図である。
【符号の説明】
【００５０】
１  ボディ形  
３  プレス装置基台
１１  脇用エアバッグ（ボディエアバッグ）
１２  肩用エアバッグ（ボディエアバッグ）
１３  スリーブ用エア供給口
２１  移動台車
４１  スリーブホルダ
４２  スリーブタックアイロン
５１  ボディアイロン（胸側用）
５２  ボディアイロン（背側用）
５３  ボディアイロン駆動手段（胸側用）
５４  ボディアイロン駆動手段（背側用）
１２０  ボディ用エア供給手段
１３０  スリーブ用エア供給手段
Ｐ１  着脱作業位置
Ｐ２  プレス作業位置
【図１】
2006055478.tif 000003
【図２】
2006055478.tif 000004
【図３】
2006055478.tif 000005
【図４】
2006055478.tif 000006
【図５】
2006055478.tif 000007